(57)【要約】【課題】ペン型入力装置を、入力する線の太さを容易に変えることができ、かつ耐久性の高いものにする。【解決手段】導体で構成された筒状のペン軸２の先端側に軸方向に沿って移動可能に棒状のペン芯４を支持し、ペン軸２先端にペン芯４の先端を覆い、ペン軸２の伸縮に伴って先端が開閉する開閉スリーブ６を設け、ペン軸２内にペン芯４をペン軸２の基端側へ押圧する圧縮コイルバネ５を設け、ペン軸２の外周にペン軸２の半径方向へ押圧することにより、圧縮コイルバネ５に抗してペン芯４をペン軸２の先端側へ押し付ける操作ボタン８を設け、ペン軸２の先端に開閉スリーブ６を覆う導電性膜状弾性体よりなる先端被覆部７を設ける。【選択図】図１
2014078133.tif 000002
【特許請求の範囲】
【請求項１】
タッチパネル用のペン型入力装置において、
少なくとも先端側が導体で構成された筒状のペン軸と、
上記ペン軸先端側に該ペン軸の軸方向に沿って移動可能に支持された棒状のペン芯と、
上記ペン軸先端に設けられ、上記ペン芯の先端を覆い、該ペン軸の伸縮に伴って先端が開閉する開閉スリーブと、
上記ペン軸内に設けられ、上記ペン芯を上記ペン軸の基端側へ押圧する付勢部材と、
上記ペン軸の外周に設けられ、該ペン軸の半径方向へ押圧することにより、上記付勢部材に抗して上記ペン芯を上記ペン軸の先端側へ押し付ける操作ボタンと、
上記ペン軸の先端に設けられ、上記開閉スリーブを覆う導電性膜状弾性体よりなる先端被覆部と、
を備えている
ことを特徴とするペン型入力装置。
【請求項２】
請求項１に記載のペン型入力装置において、
上記ペン芯の基端には、第１傾斜面が形成され、
上記操作ボタンの先端には、上記第１傾斜面に摺接する第２傾斜面が形成され、
上記第１傾斜面と上記第２傾斜面とは、上記操作ボタンが半径方向に進むに従って、上記ペン芯を先端側へ押し付けるようにそれぞれ傾斜している
ことを特徴とするペン型入力装置。
【請求項３】
請求項１又は２に記載のペン型入力装置において、
上記ペン軸は、上記操作ボタンが挿通されるボタン用挿通孔が形成され、該ボタン用挿通孔の奥側には、目盛状の凹凸部が形成され、
上記操作ボタンは、上記凹凸部に係合する係合爪を有し、上記ペン芯の飛び出し量を該係合爪の位置に合わせて調整可能に構成されている
ことを特徴とするペン型入力装置。
【請求項４】
請求項１又は２に記載のペン型入力装置において、
上記操作ボタンは、上記ペン軸内に該操作ボタンの移動方向に沿うラックを有し、
上記ペン軸には、該ラックに噛み合うピニオンが回転可能に支持されており、
上記ピニオンは、該ピニオンよりも大径で、外周の一部が上記ペン軸から露出する回転ハンドルに回転一体に設けられ、
上記ペン軸から一部が露出した上記回転ハンドルを回転させることで、上記操作ボタンを進退可能に構成されている
ことを特徴とするペン型入力装置。
【請求項５】
タッチパネル用のペン型入力装置において、
少なくとも先端側が導体で構成された筒状のペン軸と、
上記ペン軸先端側に該ペン軸の軸方向に沿って移動可能に支持された棒状のペン芯と、
上記ペン軸先端に設けられ、上記ペン芯の先端を覆い、該ペン軸の伸縮に伴って先端が開閉する開閉スリーブと、
上記ペン軸内に設けられ、上記ペン芯を上記ペン軸の基端側へ押圧する付勢部材とを備え、
上記ペン芯の基端には、第１傾斜面が形成され、
上記ペン軸は、基端部と先端部とが相対回転可能に連結され、
上記基端部の先端には、回転スロープ面が形成され、
上記先端部の基端には、上記回転スロープ面に摺接する突部を有し、先端側に上記第１傾斜面に摺接する第２傾斜面が形成された被駆動部が形成され、
上記基端部を回転させることで、上記回転スロープ面と上記突部とが摺接すると共に上記第１傾斜面と上記第２傾斜面とが摺接するに伴って、上記ペン先が進退可能に構成されている
ことを特徴とするペン型入力装置。
【発明の詳細な説明】
【技術分野】
【０００１】
本発明は、携帯端末等のタッチパネル、特に静電容量型タッチパネルに入力するためのペン型入力装置に関するものである。
【背景技術】
【０００２】
従来より、静電容量型のタッチパネル用のペン型入力装置（スタイラスペン、デジタイザペンともいう）は知られている。このようなペン型入力装置におけるペン先の太さを変えるようにしてより手書きに近い入力を可能にすることが行われている。
【０００３】
例えば、特許文献１のように、テーパ繊維からなるペン芯を有するものが知られている。また、特許文献２のように、導電性スポンジの中心に金属製ペン芯部を設けるものが知られている。さらに、特許文献３のように、先端を二又に構成し、先端が閉じたときと開いたときとで、入力した線の太さを変更することが知られている。
【先行技術文献】
【特許文献】
【０００４】
【特許文献１】特開２０１２−１０８８９４号公報
【特許文献２】特開２０１２−５３６８１号公報
【特許文献３】特開２０１２−２４８７７４号公報
【発明の概要】
【発明が解決しようとする課題】
【０００５】
しかしながら、特許文献１のようにペン芯がテーパ繊維からなるものは、線の太さの調整が難しく、ペン芯も傷みやすいという問題がある。また、ペン芯を保護するためのキャップ等の保護構造も必要となる。
【０００６】
また、特許文献２のものでも、微妙な線の太さ調整が難しく、スポンジ部分の劣化は避けられない。
【０００７】
さらに、特許文献３のものでは、細線と太線との二通りしか使い分けできないという問題がある。
【０００８】
本発明は、かかる点に鑑みてなされたものであり、その目的とするところは、ペン型入力装置を、入力する線の太さを容易に変えることができ、かつ耐久性の高いものにすることにある。
【課題を解決するための手段】
【０００９】
上記の目的を達成するために、この発明では、ペン芯の先端を開閉スリーブで覆い、さらに導電性膜状弾性体で覆った。
【００１０】
具体的には、第１の発明では、タッチパネル用のペン型入力装置において、
少なくとも先端側が導体で構成された筒状のペン軸と、
上記ペン軸先端側に該ペン軸の軸方向に沿って移動可能に支持された棒状のペン芯と、
上記ペン軸先端に設けられ、上記ペン芯の先端を覆い、該ペン軸の伸縮に伴って先端が開閉する開閉スリーブと、
上記ペン軸内に設けられ、上記ペン芯を上記ペン軸の基端側へ押圧する付勢部材と、
上記ペン軸の外周に設けられ、該ペン軸の半径方向へ押圧することにより、上記付勢部材に抗して上記ペン芯を上記ペン軸の先端側へ押し付ける操作ボタンと、
上記ペン軸の先端に設けられ、上記開閉スリーブを覆う導電性膜状弾性体よりなる先端被覆部と、
を備えている。
【００１１】
上記の構成によると、導体よりなるペン軸を握ることで、この導体と導通する導電性膜状弾性体を介してタッチパネルに入力が可能となる。通常時は、付勢部材がペン芯をペン軸の基端側へ押圧するので、ペン芯が縮んで開閉スリーブが閉じ、導電性膜状弾性体は広がらない。このため、この状態でタッチパネルに近付けると、細線を描くことができる。一方、付勢部材の付勢力に抗して操作ボタンをペン軸の半径方向へ押圧すると、ペン芯が押し下げられ、開閉スリーブが広がる。すると、導電性膜状弾性体が広がり、その広がった先端でタッチパネルに触れることにより、太線を描くことができる。導電性膜状弾性体は、テーパ繊維のように先がつぶれず、スポンジよりも耐久性を高めやすい。
【００１２】
第２の発明では、第１の発明に加え、
上記ペン芯の基端には、第１傾斜面が形成され、
上記操作ボタンの先端には、上記第１傾斜面に摺接する第２傾斜面が形成され、
上記第１傾斜面と上記第２傾斜面とは、上記操作ボタンが半径方向に進むに従って、上記ペン芯を先端側へ押し付けるようにそれぞれ傾斜している。
【００１３】
上記の構成によると、簡単な構成でペン芯の進退を調整できる。
【００１４】
第３の発明では、第１又は第２の発明に加え、
上記ペン軸は、上記操作ボタンが挿通されるボタン用挿通孔が形成され、該ボタン用挿通孔の奥側には、目盛状の凹凸部が形成され、
上記操作ボタンは、上記凹凸部に係合する係合爪を有し、上記ペン芯の飛び出し量を該係合爪の位置に合わせて調整可能に構成されている。
【００１５】
上記の構成によると、凹凸部に段階的に操作ボタンを係合させてペン芯の飛び出し量を調整できるので、段階的に線の太さを調整できる。
【００１６】
第４の発明では、第１又は第２の発明に加え、
上記操作ボタンは、上記ペン軸内に該操作ボタンの移動方向に沿うラックを有し、
上記ペン軸には、該ラックに噛み合うピニオンが回転可能に支持されており、
上記ピニオンは、該ピニオンよりも大径で、外周の一部が上記ペン軸から露出する回転ハンドルに回転一体に設けられ、
上記ペン軸から一部が露出した上記回転ハンドルを回転させることで、上記操作ボタンを進退可能に構成されている。
【００１７】
上記の構成によると、回転ハンドルを回転させることで、容易且つ確実に線の太さを調整できる。
【００１８】
第５の発明では、
少なくとも先端側が導体で構成された筒状のペン軸と、
上記ペン軸先端側に該ペン軸の軸方向に沿って移動可能に支持された棒状のペン芯と、
上記ペン軸先端に設けられ、上記ペン芯の先端を覆い、該ペン軸の伸縮に伴って先端が開閉する開閉スリーブと、
上記ペン軸内に設けられ、上記ペン芯を上記ペン軸の基端側へ押圧する付勢部材とを備え、
上記ペン芯の基端には、第１傾斜面が形成され、
上記ペン軸は、基端部と先端部とが相対回転可能に連結され、
上記基端部の先端には、回転スロープ面が形成され、
上記先端部の基端には、上記回転スロープ面に摺接する突部を有し、先端側に上記第１傾斜面に摺接する第２傾斜面が形成された被駆動部が形成され、
上記基端部を回転させることで、上記回転スロープ面と上記突部とが摺接すると共に上記第１傾斜面と上記第２傾斜面とが摺接するに伴って、上記ペン先が進退可能に構成されている。
【００１９】
上記の構成によると、導体よりなるペン軸を握ることで、この導体と導通する導電性膜状弾性体を介してタッチパネルに入力が可能となる。通常時は、付勢部材がペン芯をペン軸の基端側へ押圧するので、ペン芯が縮んで開閉スリーブが閉じ、導電性膜状弾性体は広がらない。このため、この状態でタッチパネルに近付けると、細線を描くことができる。一方、付勢部材の付勢力に抗してペン軸の基端部を回転させることで、基端部の先端の回転スロープ面に第１傾斜面が押されてペン芯が押し下げられ、開閉スリーブが広がる。すると、導電性膜状弾性体が広がり、その広がった先端でタッチパネルに触れることにより、太線を描くことができる。導電性膜状弾性体は、テーパ繊維のように先がつぶれず、スポンジよりも耐久性を高めやすい。
【発明の効果】
【００２０】
以上説明したように、本発明によれば、操作ボタンを押し、又は、ペン軸を回転させて付勢部材に抗してペン芯を押し下げて開閉スリーブを押し広げ、導電性膜状弾性体を広げるようにしたことにより、入力する線の太さを容易に変えることができ、かつ耐久性の高いものにすることができる。
【図面の簡単な説明】
【００２１】
【図１】本発明の実施形態１に係るスタイラスペンを示す縦断面図である。
【図２】ペン芯を押し下げたときのスタイラスペンを示す縦断面図である。
【図３】本発明の実施形態１の変形例１に係るスタイラスペンを示す縦断面図である。
【図４】ペン芯を押し下げたときの変形例１のスタイラスペンを示す縦断面図である。
【図５】本発明の実施形態１の変形例２に係るスタイラスペンを示す縦断面図である。
【図６】ペン芯を押し下げたときの変形例２のスタイラスペンを示す縦断面図である。
【図７】本発明の実施形態１に係る変形例３のスタイラスペンを示す縦断面図である。
【図８】ペン芯を押し下げたときの変形例３のスタイラスペンを示す縦断面図である。
【図９】本発明の実施形態２に係るスタイラスペンを示す縦断面図である。
【図１０】ペン芯を押し下げたときのスタイラスペンを示す縦断面図である。
【図１１】回転スロープ面を有するカム部材を示す斜視図である。
【発明を実施するための形態】
【００２２】
（実施形態１）
以下、本発明の実施形態１を図面に基づいて説明する。図１は、本発明の実施形態１に係るスタイラスペン１を示す縦断面図であり、図２は、ペン芯を押し下げたときのスタイラスペン１を示す縦断面図である。このタッチパネル用のペン型入力装置としてのスタイラスペン１は、筒状のペン軸２を有する。ペン軸２は、例えば、ステンレス鋼、アルミニウム合金等の金属や、合成樹脂にカーボン粉末等の導電性材料が混入された樹脂成形品よりなる。ペン軸２は、図面において１つの部材で構成しているが、複数の部材で構成されている。ペン軸２は、例えば、先端側から順に第１仕切板２ａ、第２仕切板２ｂ、第３仕切板２ｃ及び第４仕切板２ｄを備えている。第１及び第２仕切板２ａ，２ｂは、中心に貫通孔を有し、この貫通孔に支持パイプ３が挿通されて固定されている。この支持パイプ３の中心孔３ａには、棒状のペン芯４がペン軸２の軸方向に沿って移動可能に支持されている。ペン芯４は、基端側に第１傾斜面４ａが形成されると共に、中間部分に被押圧部４ｂが半径方向外側に突出している。第１傾斜面４ａは、ペン軸２の半径方向外側に向かってペン先へ向かうように傾斜している。この被押圧部４ｂは、支持パイプ３の上下に延びるスリット３ｂから飛び出ている。この被押圧部４ｂと第１仕切板２ａとの間における支持パイプ３の外周には、付勢部材としての圧縮コイルバネ５が装着されている。
【００２３】
そして、ペン軸２の先端側の支持パイプ３の先端には、ペン芯４の先端を覆うように、ペン軸２の伸縮に伴って先端が開閉する導電性材料よりなる開閉スリーブ６が設けられている。開閉スリーブ６は、例えば、ステンレス鋼の板バネよりなり、先端が複数に分かれている。
【００２４】
ペン軸２の先端には、開閉スリーブ６を覆うように導電性膜状弾性体よりなる先端被覆部７が結合されている。この先端被覆部７は、カーボンブラックなどの導電性材料が混入されたシリコンゴム、エラストマー等よりなる。このため、ペン軸２と先端被覆部７とが導通している。
【００２５】
そして、第３仕切板２ｃと第１傾斜面４ａとの間には、この第１傾斜面４ａに摺接する第２傾斜面８ａを先端側（ペン軸２の半径方向内側）に有する操作ボタン８が設けられている。この操作ボタン８は、ペン軸２の外周に設けられたボタン用挿通孔２ｅから押圧部８ｂが露出し、鍔部８ｃが第３仕切板２ｃの鍔収容部２ｆに収容されている。このことで、抜け止めされながら半径方向に移動可能となっている。そして、第２傾斜面８ａが第１傾斜面４ａに摺接した状態で押圧部８ｂをペン軸２の半径方向へ押圧することにより、圧縮コイルバネ５の付勢力に抗してペン芯４がペン軸２の先端側へ押し付けられるように構成されている。なお、操作ボタン８は、金属、導電性材料が混入された合成樹脂などの導電性材料よりなるのが望ましいが、本実施形態では、ペン軸２と先端被覆部７とが導通しているので、導電性材料でなくてもよい。
【００２６】
このように構成したことにより、図１に示すように、操作ボタン８を押圧しない通常時は、圧縮コイルバネ５がペン芯４をペン軸２の基端側へ押圧するので、ペン芯４が縮んで開閉スリーブ６が閉じ、先端被覆部７は広がらない。この状態で、導体よりなるペン軸２を握ることで、この導体と導通する先端被覆部７を介してタッチパネルに入力が可能となる。このとき、先端被覆部７の先端が広がっていないので、細線を描くことができる。
【００２７】
一方、図２に示すように、圧縮コイルバネ５の付勢力に抗して操作ボタン８をペン軸２の半径方向へ押圧すると、第１傾斜面４ａと第２傾斜面８ａとを操作ボタン８が半径方向に進むに従ってペン芯４を先端側へ押し付けるようにそれぞれ傾斜させたので、ペン芯４が押し下げられ、開閉スリーブ６が広がる。すると、先端被覆部７が広がり、その広がった先端でタッチパネルに触れることにより、太線を描くことができる。なお、操作ボタン８を離すと、圧縮コイルバネ５の付勢力により、操作ボタン８が元の位置に戻るようにするとよい。
【００２８】
このスタイラスペン１の先端被覆部７は、テーパ繊維のように先がつぶれず、スポンジよりも耐久性が高いので、先端保護用のキャップも不要である。
【００２９】
以上説明したように、本発明によれば、操作ボタン８を押して圧縮コイルバネ５に抗してペン芯４を押し下げて開閉スリーブ６を押し広げ、先端被覆部７を広げるようにしたことにより、入力する線の太さを容易に変えることができ、かつ耐久性の高いものにすることができる。
【００３０】
−変形例１−
図３は、本発明の実施形態１の変形例１に係るスタイラスペン１０１を示す縦断面図であり、図４は、ペン芯４を押し下げたときの変形例１のスタイラスペン１０１を示す縦断面図である。変形例１では、操作ボタン１０８の支持構造が異なる点で上記実施形態と異なる。なお、以下の各変形例、実施形態２では、図１と同じ部分については同じ符号を付してその詳細な説明は省略する。
【００３１】
図４のＡ部に拡大するように、操作ボタン１０８が挿通されるボタン用挿通孔２ｅの奥側（厳密には、鍔収容部１０２ｆの上面及び第２仕切板１０２ｂの上面には、目盛状の凹凸部１０２ｇが形成されている。操作ボタン１０８は、上下の凹凸部１０２ｇにそれぞれ係合する一対の係合爪１０８ｃを有し、ペン芯４の飛び出し量を係合爪１０８ｃの位置に合わせて調整可能に構成されている。
【００３２】
本変形例では、図４に示すように、操作ボタン１０８を押して凹凸部１０２ｇに段階的に操作ボタン１０８を係合させてペン芯４の飛び出し量を調整できるので、段階的に線の太さを調整できる。なお、操作ボタン１０８を離すと、圧縮コイルバネ５の付勢力により、操作ボタン８が元の位置に戻って細線を描ける状態になるようにするとよい。
【００３３】
−変形例２−
図５は、本発明の実施形態１の変形例２に係るスタイラスペン２０１を示す縦断面図であり、図６は、ペン芯４を押し下げたときの変形例２のスタイラスペン２０１を示す縦断面図である。本変形例のペン軸２０２は、基端部２０２ａが合成樹脂などの非導体よりなり、先端部２０２ｂが金属などの導体よりなる。
【００３４】
この場合、先端部２０２ｂと先端被覆部７とが導通しているので、先端部２０２ｂをつまんだ状態で、タッチパネルに入力可能である。本変形例では、操作ボタン８及びペン芯４も導体とすれば、操作ボタン８を触ることで、操作ボタン８、ペン芯４、開閉スリーブ６及び先端被覆部７が導通するようにすることもできる。
【００３５】
線の太さの変更方法は、図６にも示すように、上記実施形態１と同じである。基端部２０２ａを合成樹脂で構成すれば、複雑な形状でも形成が容易である上、軽量であるという利点がある。
【００３６】
−変形例３−
図７は、本発明の実施形態１の変形例２に係るスタイラスペン３０１を示す縦断面図であり、図８は、ペン芯４を押し下げたときの変形例２のスタイラスペン３０１を示す縦断面図である。本変形例の操作ボタン３０８は、ペン軸３０２内に操作ボタン３０８の移動方向（半径方向）に沿うラック３０９を有する。ラック３０９は、操作ボタン３０８に一体に形成してもよいし、別体でもよい。
【００３７】
そして、ペン軸３０２には、ラック３０９に噛み合うピニオン３１０が回転可能に支持されている。具体的には、ピニオン３１０は、このピニオン３１０よりも大径で、外周の一部がペン軸２のハンドル露出孔３０２ｃから露出する回転ハンドル３１１に回転一体に設けられている。ペン軸３０２が導体であれば、ラック３０９、ピニオン３１０及び回転ハンドル３１１は、導体でも非導体でもよい。
【００３８】
このように構成することで、図８のＢ部に拡大するように、ペン軸３０２から露出した回転ハンドル３１１を回転させることで、ピニオン３１０が回転し、それに伴ってラック３０９が移動し、操作ボタン３０８が進退する。
【００３９】
それに伴って、ペン芯４が伸縮する。従って、本変形例でも、回転ハンドル３１１を回転させることで、容易且つ確実に線の太さを調整できる。特に圧縮コイルバネ５の反発力に頼らずに線の太さを太い状態から細い状態に微調整できるというメリットがある。
【００４０】
（実施形態２）
図９は、本発明の実施形態２に係るスタイラスペン４０１を示す縦断面図であり、図１０は、ペン芯４を押し下げたときのスタイラスペン４０１を示す縦断面図であり、図１１は、回転スロープ面４０９ａを有するカム部材４０９を示す斜視図である。
【００４１】
本実施形態のペン軸４０２では、基端部４０２ｂと先端部４０２ａとが相対回転可能に連結されている。基端部４０２ｂの先端には、回転スロープ面４０９ａが形成されたカム部材４０９が結合されている。
【００４２】
先端部４０２ａの基端には、回転スロープ面４０９ａに摺接する突部４１０ｂを有し、先端側に第１傾斜面４ａに摺接する第２傾斜面４１０ａが形成された被駆動部４１０が結合されている。これにより、基端部４０２ｂを回転させることで、回転スロープ面４０９ａと突部４１０ｂとが摺接すると共に第２傾斜面４１０ａと第１傾斜面４ａとが摺接し、ペン先が進退可能に構成されている。
【００４３】
そして、本実施形態では、導体よりなる先端部４０２ａを握ることで、この導体と導通する先端被覆部７を介してタッチパネルに入力が可能となる。
【００４４】
図１０に示すように、圧縮コイルバネ５の付勢力に抗してペン軸２の基端部４０２ｂを回転させると、基端部４０２ｂの先端の回転スロープ面４０９ａに第１傾斜面４ａが押されて、ペン芯４が押し下げられ、開閉スリーブ６が広がる。すると、先端被覆部７が広がり、その広がった先端でタッチパネルに触れることにより、太線を描くことができる。
【００４５】
一方、太線を描く状態から基端部４０２ｂを逆方向に回転させると、圧縮コイルバネ５に押された第１傾斜面４ａが、第２傾斜面４１０ａに摺接しながらペン芯４が上昇する。すると、先端被覆部７が狭まり、その狭まった先端でタッチパネルに触れることにより、細線を描くことができる。
【００４６】
（その他の実施形態）
本発明は、上記実施形態について、以下のような構成としてもよい。
【００４７】
すなわち、上記実施形態では、携帯端末は、スマートフォンとしたが、ＰＨＳ（Personal Handy-phone System ）、ＰＤＡ(Personal Digital Assistant)、パソコン、モバイルツール、電子辞書、電卓、ゲーム機等静電容量型タッチパネルを有する他の携帯端末であってもよい。
【００４８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【産業上の利用可能性】
【００４９】
以上説明したように、本発明は、特に静電容量型タッチパネルに入力するためのペン型入力装置について有用である。
【符号の説明】
【００５０】
１      スタイラスペン
２      ペン軸
２ａ    第１仕切板
２ｂ    第２仕切板
２ｃ    第３仕切板
２ｄ    第４仕切板
２ｅ    ボタン用挿通孔
２ｆ    鍔収容部
３      支持パイプ
３ａ    中心孔
３ｂ    スリット
４      ペン芯
４ａ    第１傾斜面
４ｂ    被押圧部
５      圧縮コイルバネ
６      開閉スリーブ
７      先端被覆部
８      操作ボタン
８ａ    第２傾斜面
８ｂ    押圧部
８ｃ    鍔部
１０１      スタイラスペン
１０２ｂ    第２仕切板
１０２ｆ    鍔収容部
１０２ｇ    凹凸部
１０８      操作ボタン
１０８ｃ    係合爪
２０１      スタイラスペン
２０２      ペン軸
２０２ａ    基端部
２０２ｂ    先端部
３０１      スタイラスペン
３０２      ペン軸
３０２ｃ    ハンドル露出孔
３０８      操作ボタン
３０９      ラック
３１０      ピニオン
３１１      回転ハンドル
４０１      スタイラスペン
４０２ａ    先端部
４０２ｂ    基端部
４０９      カム部材
４０９ａ    回転スロープ面
４１０      被駆動部
４１０ａ    第２傾斜面
４１０ｂ    突部
【図１】
2014078133.tif 000003
【図２】
2014078133.tif 000004
【図３】
2014078133.tif 000005
【図４】
2014078133.tif 000006
【図５】
2014078133.tif 000007
【図６】
2014078133.tif 000008
【図７】
2014078133.tif 000009
【図８】
2014078133.tif 000010
【図９】
2014078133.tif 000011
【図１０】
2014078133.tif 000012
【図１１】
2014078133.tif 000013